(57)【特許請求の範囲】
【請求項１】
クライアント装置の表示部に表示された第１のウインドウに、前記クライアント装置から実行要求がなされたアプリケーションに基づく第２のウインドウを重ねて表示させる医療用サーバ装置であって、
前記クライアント装置からアプリケーションの実行要求がなされたときに、前記クライアント装置のアプリケーション識別子及びクライアント識別子を抽出し、抽出した前記アプリケーション識別子及び前記クライアント識別子を用いて前記クライアント装置から第１の色調パラメータを取得する色調情報抽出部と、
前記アプリケーションの実行要求を行った前記クライアント装置から前記色調情報抽出部が取得した前記第１のウインドウの表示色を定義する前記第１の色調パラメータに基づいて、前記第２のウインドウの表示色を定義する第２の色調パラメータを変更する制御ユニットと、
各アプリケーションに対応する前記第２の色調パラメータが記憶された色調情報データベースと、を有する
ことを特徴とする医療用サーバ装置。
【請求項２】
前記制御ユニットは、
抽出された前記第２の色調パラメータを前記第１の色調パラメータに基づいて変更し、新たな第２の色調パラメータを求めるパラメータ変更部と、
前記新たな第２の色調パラメータに基づいて前記第２のウインドウを表示させる表示制御部とを有する
ことを特徴とする請求項１に記載の医療用サーバ装置。
【請求項３】
クライアント装置とアプリケーションとの組み合わせに対して前記第２の色調パラメータを関連付けた関連付け情報を予め記憶した関連付け情報テーブルを更に有し、
前記制御ユニットは、前記クライアント装置からアプリケーションの実行要求がなされたときに、当該クライアント装置と当該アプリケーションとの組み合わせに関連付けられた第２の色調パラメータを前記関連付け情報に基づいて特定し、特定された第２の色調パラメータに基づいて当該アプリケーションに基づく前記第２のウインドウを当該クライアント装置に表示させる
ことを特徴とする請求項１に記載の医療用サーバ装置。
【請求項４】
前記第１の色調パラメータは、前記第１のウインドウの特定領域における色調パラメータに基づいて設定される
ことを特徴とする請求項２又は３に記載の医療用サーバ装置。
【請求項５】
前記第１の色調パラメータ及び前記第２の色調パラメータは、色相値、明度値及び／又は彩度値を含む
ことを特徴とする請求項１〜４のいずれか一つに記載の医療用サーバ装置。
【請求項６】
複数のクライアント装置と、前記複数のクライアント装置にネットワークを介して接続され、前記クライアント装置の表示部に表示される第１のウインドウに、前記クライアント装置から実行要求がなされたアプリケーションに基づく第２のウインドウを重ねて表示させる医療用サーバ装置とを有する医療用情報提供システムであって、
前記医療用サーバ装置は、前記クライアント装置からアプリケーションの実行要求がなされたときに、前記クライアント装置のアプリケーション識別子及びクライアント識別子を抽出し、抽出した前記アプリケーション識別子及び前記クライアント識別子を用いて前記クライアント装置から第１の色調パラメータを取得する色調情報抽出部と、前記アプリケーションの実行要求を行った前記クライアント装置から前記色調情報抽出部が取得した前記第１のウインドウの表示色を定義する第１の色調パラメータに基づいて、前記第２のウインドウの表示色を定義する第２の色調パラメータを変更する制御ユニットと、各アプリケーションに対応する前記第２の色調パラメータが記憶された色調情報データベースと、を有する
ことを特徴とする医療用情報提供システム。
【請求項７】
前記医療用サーバ装置の前記制御ユニットは、
前記抽出された第２の色調パラメータを前記第１の色調パラメータに基づいて変更し、新たな第２の色調パラメータを求めるパラメータ変更部と、
前記新たな第２の色調パラメータに基づいて前記第２のウインドウを表示させる表示制御部とを有する
ことを特徴とする請求項６に記載の医療用情報提供システム。
【請求項８】
前記医療用サーバ装置は、クライアント装置とアプリケーションとの組み合わせに対して前記第２の色調パラメータを関連付けた関連付け情報を予め記憶した関連付け情報テーブルを更に有し、
前記制御ユニットは、クライアント装置からアプリケーションの実行要求がなされたときに、当該クライアント装置と当該アプリケーションとの組み合わせに関連付けられた第２の色調パラメータを前記関連付け情報に基づいて特定し、特定された第２の色調パラメータに基づいて当該アプリケーションに基づく前記第２のウインドウを当該クライアント装置に表示させる
ことを特徴とする請求項６に記載の医療用情報提供システム。
【請求項９】
前記クライアント装置は、前記第１のウインドウの特定領域における色調パラメータに基づいて設定される第１の色調パラメータを取得する色調パラメータ取得部を有する
ことを特徴とする請求項７または８に記載の医療用情報提供システム。
【請求項１０】
前記第１の色調パラメータ及び前記第２の色調パラメータは、色相値、明度値及び／又は彩度値を含む情報である
ことを特徴とする請求項６〜９のいずれか一つに記載の医療用情報提供システム。
【請求項１１】
前記医療用サーバ装置は、
前記制御ユニットから出力された前記第２のウインドウの前記第２の色調パラメータの設定をユーザ操作によって行える調整用画面を生成する調整用画面生成部と、
前記生成された調整用画面を前記第１のウインドウに表示させるユーザインターフェース制御部とをさらに有し、
前記制御ユニットは、前記第２の色調パラメータを、前記クライアント装置から前記ユーザインターフェース制御部に入力された調整後の前記第２の色調パラメータに変更する
ことを特徴とする請求項７〜１０のいずれか一つに記載の医療用情報提供システム。
【請求項１２】
前記クライアント装置は、
前記制御ユニットから出力された前記第２のウインドウの第２の色調パラメータの色調設定をユーザ操作によって行える調整用画面を生成する調整用画面生成部と、
前記生成された調整用画面を前記第１のウインドウに表示させるユーザインターフェース制御部とをさらに有し、
前記制御ユニットは、前記第２の色調パラメータを、前記クライアント装置から前記ユーザインターフェース制御部に入力された調整後の前記第２の色調パラメータに変更する
ことを特徴とする請求項７〜１０のいずれか一つに記載の医療用情報提供システム。
【発明の詳細な説明】
【技術分野】
【０００１】
この発明の実施形態は、医療用サーバ装置及び医療用情報提供システムに関する。
【背景技術】
【０００２】
近年、医療施設において、情報の電子化及びネットワーク化が進展している。
【０００３】
例えば、医療情報データベースを有するサーバ装置と、サーバ装置にネットワークを介して接続された複数のクライアント装置とを含み、接続要求をしたクライアント装置へ医療情報がサーバ装置から提供される医療情報提供システムが知られている（以下の特許文献１参照）。
【０００４】
この種の医療情報提供システムでは、クライアント装置上の表示画面（第１のウインドウ：クライアント画面）には必要な情報が表示される。その一方で、サーバ装置は、クライアント情報（クライアント識別子等）を参照して、クライアント装置に対応する様々な表示画面（第２のウインドウ：アプリケーション画面）をクライアント装置に提供（表示）している。
【先行技術文献】
【特許文献】
【０００５】
【特許文献１】特開２００２−３１８８２０号公報
【発明の概要】
【発明が解決しようとする課題】
【０００６】
ところで、クライアント装置に健診システムや電子カルテシステム等が搭載されたものが知られている。例えば、健診システムが搭載されたこの種のクライアント装置から要求された特定の患者の超音波診断画像やＣＴ画像をサーバ装置に収集して蓄積し、これらの画像を含む表示画面（第２のウインドウ）をクライアント装置に提供し、クライアント装置の表示画面（第１のウインドウ）に重ねて表示させるという技術が知られている。
【０００７】
しかしながら、サーバ装置から提供される表示画面（第２のウインドウ）と、クライアント装置の表示画面（第１のウインドウ）においては、それぞれ、独自に色調パラメータ（色相値、明度値および彩度値を含む情報）を設定しているため、両者に色調の統一感がない場合がある。したがって、ユーザにとって違和感のある見にくい画面になってしまう虞がある。
【０００８】
この発明が解決しようとする課題は、違和感のない見やすい画面表示を行うことができる技術を提供することを目的とする。
【課題を解決するための手段】
【０００９】
実施形態に係る医療用サーバ装置は、クライアント装置の表示部に表示された第１のウインドウに、前記クライアント装置から実行要求がなされたアプリケーションに基づく第２のウインドウを重ねて表示させる。クライアント装置からアプリケーションの実行要求がなされたときに、クライアント装置のアプリケーション識別子及びクライアント識別子を抽出し、抽出したアプリケーション識別子及びクライアント識別子を用いてクライアント装置から第１の色調パラメータを取得する色調情報抽出部と、色調情報抽出部がアプリケーションの実行要求を行ったクライアント装置から取得した第１のウインドウの表示色を定義する第１の色調パラメータに基づいて、第２のウインドウの表示色を定義する第２の色調パラメータを変更する制御ユニットと、各アプリケーションに対応する第２の色調パラメータが記憶された色調情報データベースと、を有する。
【００１０】
また、この実施形態の第２の態様に係る医療用情報提供システムは、複数のクライアント装置と医療用サーバ装置とを有する。医療用サーバ装置は、複数のクライアント装置にネットワークを介して接続され、クライアント装置の表示部に表示される第１のウインドウに、クライアント装置から実行要求がなされたアプリケーションに基づく第２のウインドウを重ねて表示させる。医療用サーバ装置は、クライアント装置からアプリケーションの実行要求がなされたときに、クライアント装置のアプリケーション識別子及びクライアント識別子を抽出し、抽出したアプリケーション識別子及びクライアント識別子を用いてクライアント装置から第１の色調パラメータを取得する色調情報抽出部と、色調情報抽出部がアプリケーションの実行要求を行ったクライアント装置から取得した第１のウインドウの表示色を定義する第１の色調パラメータに基づいて、第２のウインドウの表示色を定義する第２の色調パラメータを変更する制御ユニットと、各アプリケーションに対応する第２の色調パラメータが記憶された色調情報データベースと、を有する。
【図面の簡単な説明】
【００１１】
【図１】第１の実施形態に係る医療用情報提供システムの構成の概略を示す図である。
【図２】第１の実施形態に係る医療用情報提供システムの構成を示す図である。
【図３】制御ユニットの構成を示す図である。
【図４】医療用情報提供システムにおけるクライアントとサーバの処理を示すシーケンス図である。
【図５】画面エリア指定部の動作を説明するための図である。
【図６】第２の色調パラメータの変更の一例を示す図である。
【図７】第２の実施形態に係る医療用情報提供システムの構成を示す図である。
【図８】関連付け情報テーブルに格納された情報内容の一例を示す図である。
【図９】第３の実施形態に係る医療用情報提供システムの構成を示す図である。
【図１０】第３の実施形態に係る医療用情報提供システムの変形例を示す図である。
【発明を実施するための形態】
【００１２】
＜第１の実施形態＞
本発明に係る医療情報提供システムの第１の実施形態について、添付図面を参照して説明する。
【００１３】
図１は、本実施形態の医療情報提供システムの構成を示す概略図である。
【００１４】
［全体構成］
医療情報提供システム１は、図１に示すように、サーバ装置（以下、「サーバ」と呼ぶ。）１０、及び、複数のクライアント装置（クライアント端末（以下、「クライアント」と呼ぶ。））２０を有する。ネットワークＮは、例えば、ＴＣＰ／ＩＰをもとにＥｔｈｅｒｎｅｔ（登録商標）等の規格に準拠して構築される。
【００１５】
［サーバの構成］
サーバ１０は、病院等の医療機関に構築されたＬＡＮ（ｌｏｃａｌ  ａｒｅａ  ｎｅｔｗｏｒｋ）等のネットワークＮに接続されている。サーバ１０は、ネットワークＮを介して、クライアント２０から送られてきた入力情報（様々な要求）を受信し、後述する処理を行う。例えば、サーバ１０は、外部機器としての超音波診断装置やＸ線診断装置から送出された診断画像であって、内部の図示しない記憶ユニットに記憶された診断画像を、クライアント２０からの要求に従ってクライアント２０に送信し、クライアント２０の後述する画面表示部（モニター）２５に表示させる。サーバ１０は、ＰＣ（ｐｅｒｓｏｎａｌ  ｃｏｍｐｕｔｅｒ）等のコンピュータである。
【００１６】
図２に示すように、サーバ１０は、色調情報抽出部１１と、制御ユニット１２と、色調情報データベース１３と、データ送受信部１４とを有する。
【００１７】
色調情報抽出部１１は、後述するアプリケーション実行（起動）要求（以下、「アプリ要求」と呼ぶ。）を行ったクライアント２０のアプリケーション識別子（以下、「アプリ識別子」と呼ぶ。）およびクライアント識別子を抽出する。
【００１８】
また、色調情報抽出部１１は、後述するクライアント２０の画面表示部２５（図３参照）に表示される第１のウインドウ（クライアント画面）の色調情報（以下、「第１の色調パラメータ」と呼ぶ。）の取得要求をクライアント２０に送出する。
【００１９】
本実施の形態では、第１のウインドウに表示されるのは、後述する医療業務システムに関する複数のアプリケーション（以下、「システムアプリ」と呼ぶ。）が実行されたときに表示される後述する所定のフォーマットに従った画面（以下、「システム画面」と呼ぶ。）である。
【００２０】
ここで、システムアプリとしては、例えば、ＰＡＣＳ（画像保管通信システム：Ｐｉｃｔｕｒｅ  Ａｒｃｈｉｖｉｎｇ  Ｃｏｍｍｕｎｉｃａｔｉｏｎ  Ｓｙｓｔｅｍ）、健診システム、電子カルテ作成システム、診断レポート作成システムのためのアプリケーションが知られている。以下にＰＡＣＳについて簡単に説明する。
【００２１】
ＰＡＣＳは、超音波診断装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置といった様々な医用画像診断装置により収集された膨大量の医用画像を管理するためのシステムである。
【００２２】
医用画像診断装置において収集された医用画像は、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に従った画像フォーマットに統一されている。
【００２３】
かかる画像フォーマットでは、画像データとともに、患者名、患者ＩＤ、検査ＩＤなどの付帯情報が付与されている。また、医用画像診断装置、医用画像保管装置および画像表示装置の間における医用画像などの情報の送受信は、ＤＩＣＯＭに従った通信プロトコルにより行なわれている。
【００２４】
本実施の形態では、サーバ１０は、例えば、医用画像診断装置により収集された医用画像を保管（記憶・保存）する医用画像保管装置として機能し、クライアント２０は、例えば、サーバ１０に保管された医用画像を読み出して表示する画像ビューアである画像表示装置として機能する。
【００２５】
次に、制御ユニット１２は、図３に示すように、パラメータ変更部３２と、表示制御部３３と、図示しない記憶ユニットを有する。この記憶ユニットには、上記した医用画像診断装置により収集された医用画像の他に、システムアプリのプログラムや、画像表示アプリケーションや画像解析アプリケーション等の業務アプリのプログラムが記憶されている。第２のウインドウに表示されるのは、例えば、超音波診断装置、Ｘ線ＣＴにより収集された医用画像やその医用画像が解析された解析画像（以下、「業務アプリ画面」と呼ぶ。）である。
【００２６】
なお、制御ユニット１２は、例えば、ＣＰＵ（Ｃｅｎｔｒａｌ  Ｐｒｏｃｅｓｓｉｎｇ  Ｕｎｉｔ）などの図示しない処理装置と、ＣＰＵで実行される制御プログラム等が記憶されたＲＯＭ（Ｒｅａｄ  Ｏｎｌｙ  Ｍｅｍｏｒｙ）、ＣＰＵの作業用メモリとして用いられるＲＡＭ（Ｒａｎｄｏｍ  Ａｃｃｅｓｓ  Ｍｅｍｏｒｙ）などの図示しない記憶装置とによって構成されている。
【００２７】
パラメータ変更部３２は、クライアント２０からアプリ要求されて表示される業務アプリ画面の色調情報（以下、「第２の色調パラメータ」と呼ぶ。）を、後述する第１の色調パラメータに基づいて新たな第２の色調パラメータに変更する。この第２の色調パラメータは、色相の値（色相値）、明度の値（明度値）、彩度の値（彩度値）で構成されている。変更された新たな第２の色調パラメータは表示制御部３３に送出される。その変更方法については後述する。
【００２８】
表示制御部３３は、第２のウインドウ（業務アプリ画面）を第１のウインドウ（システム画面）に重ねて表示させる。
【００２９】
色調情報データベース１３には、業務アプリに対応する第２の色調パラメータが記憶されている。この第２の色調パラメータは１種類でもよいし、複数種類でもよい。なお、第２の色調パラメータを複数種類用意する場合には、１つの色調情報データベース１３に複数種類保存してもよいし、第２の色調パラメータごとに別々の色調情報データベース１３に保存してもよい。
【００３０】
データ送受信部１４は、ネットワークデバイスを有し、ネットワークＮを介してクライアント２０と種々のデータを送受信する。
【００３１】
［クライアントの構成］
クライアント２０は、ネットワークＮを介してサーバ１０を遠隔操作して、所望の業務アプリを実行する。図２に示すように、クライアント２０は、アプリ実行要求部２１と、色調情報取得部２２と、画面エリア指定部２３と、画面表示部（モニター）２５と、データ送受信部２４とを有する。
【００３２】
アプリ実行要求部２１は、所望の業務アプリを実行するために必要なアプリ要求をサーバ１０に送出する。このアプリ要求には、アプリ要求されたアプリケーションの識別子（アプリ識別子）およびクライアント識別子が含まれている。
【００３３】
色調情報取得部２２は、色調情報抽出部１１からの色調情報取得要求を受けて、第１のウインドウの少なくとも一部の領域における色調パラメータを第１の色調パラメータとして取得する。この第１の色調パラメータは、色相の値（色相値）、明度の値（明度値）、彩度の値（彩度値）で構成されている。
【００３４】
画面エリア指定部２３は、あらかじめ指定された第１のウインドウの特定領域（以下、「画面指定領域」と呼ぶ。）の情報（図５参照）が格納され、色調情報取得部２２からの画面指定要求を受けて画面指定領域の情報を送出する。なお、この画面指定領域は、第１のウインドウの一部の領域でもよいし全領域でもよい。
【００３５】
画面表示部２５は、ＬＣＤ（Ｌｉｑｕｉｄ Ｃｒｙｓｔａｌ Ｄｉｓｐｌａｙ）等の任意の表示デバイスによって構成される。画面表示部２５には、上記したように、システムアプリが実行されたときのシステム画面が第１のウインドウとして表示され、業務アプリが実行されたときの業務アプリ画面が第２のウインドウとして表示される。
【００３６】
なお、クライアント２０には、ネットワークＮに接続されているサーバ１０からシステム画面や業務アプリ画面の画面情報を取得し、画面表示部２５に表示するための表示アプリケーションが図示しない記憶部に記憶されている。
【００３７】
データ送受信部２４は、ネットワークデバイスを有し、ネットワークＮを介してサーバ１０と種々のデータを送受信する。
【００３８】
［医療情報提供システムの動作］
以下に、図４を参照して医療情報提供システムの動作について説明する。
クライアント２０のアプリ実行要求部２１は、所望の業務アプリを実行するために必要なアプリ要求を、ネットワークＮを介してサーバ１０の色調情報抽出部１１に送出する。
【００３９】
色調情報抽出部１１は、クライアント２０のアプリ識別子およびクライアント識別子を抽出する（Ｓ１）。
【００４０】
色調情報抽出部１１は、抽出したアプリ識別子およびクライアント識別子をパラメータ変更部３２に送出する（Ｓ２）。色調情報抽出部１１は、クライアント２０の画面表示部２５に表示される第１のウインドウの第１の色調パラメータの取得要求を、ネットワークＮを介してクライアント２０に送出する。
【００４１】
クライアント２０の色調情報取得部２２は、色調情報抽出部１１からの色調情報取得要求を受けて、画面エリア指定部２３であらかじめ指定された第１のウインドウの画面指定領域（特定領域）の第１の色調パラメータを取得する（Ｓ３）。
【００４２】
色調情報取得部２２は、取得した第１の色調パラメータを、ネットワークＮを介してサーバ１０の色調情報抽出部１１に送出する。色調情報抽出部１１は、取得した第１の色調パラメータをパラメータ変更部３２に送出する（Ｓ４）。
【００４３】
パラメータ変更部３２は、第２の色調パラメータを、前記取得した第１の色調パラメータに基いて新たな第２の色調パラメータに変更する（Ｓ５）。つまり、パラメータ変更部３２は、第１の色調パラメータの色調に合わせるように第２の色調パラメータを変更して新たな第２の色調パラメータを生成する。
【００４４】
パラメータ変更部３２は、前記生成された新たな第２の色調パラメータを表示制御部３３に送出する（Ｓ６）。例えば、新たな第２の色調パラメータの内の色相値（Ｈ）と明度値（Ｌ）は、取得した第１の色調パラメータを構成する色相値と明度値と同じ値にする。新たな第２の色調パラメータの内の彩度値（Ｓ）は、変更前の第２の色調パラメータを構成する彩度値と同じ値にする。
【００４５】
別の例としては、図６に示すように、新たな第２の色調パラメータの内の色相値（Ｈ）を、取得した第１の色調パラメータを構成する色相値（Ｈ＝２７）と同じ値にする。新たな第２の色調パラメータの内の明度値（Ｌ）は、取得した第１の色調パラメータを構成する色相値（Ｌ＝２４５）の一定の割合（例えば７５％：Ｌ＝１８４））にする。新たな第２の色調パラメータの内の彩度値は、変更前の第２の色調パラメータを構成する彩度値（Ｓ＝２００）と同じ値にする。
【００４６】
つまり、新たな第２の色調パラメータへの変更ロジックは、第１の色調パラメータに基く第１のウインドウと第２の色調パラメータに基く第２のウインドウに統一感を持たせるようなロジックであればよく、上記変更例には限定されない。
【００４７】
変更された新たな第２の色調パラメータは表示制御部３３に送出される（Ｓ７）。
【００４８】
表示制御部３３は、新たな第２の色調パラメータに基いて業務アプリ画面（第２のウインドウ）の表示態様を変更し、変更された業務アプリ画面をシステム画面（第１のウインドウ）に重ねて表示させる（Ｓ８）。画面表示部２５には、新たな第２の色調パラメータータに基く業務アプリ画面（第２のウインドウ）がシステム画面（第１のウインドウ）に重ねて表示される。
【００４９】
［効果］
本実施の形態によれば、サーバ装置１０から提供される表示画面（第２のウインドウ）とクライアント装置２０の表示画面（第１のウインドウ）は、それぞれ、同一の色調パラメータ（新たな第２の色調パラメータ）、すなわち同一の色相、明度および彩度に基いて表示されるため、両者に色調の統一感を持たせることができる。したがって、違和感のない見やすい画面表示を行うことができる。
【００５０】
＜第２の実施形態＞
以下に、本発明の第２の実施形態に係る医療用情報提供システム５０について図７及び図８を参照して説明する。なお、本実施の形態は、サーバ１０に、後述する関連付け情報テーブル１５を新たに設けた点以外は、上記した第１の実施の形態と同様であるので、以下では異なる点のみ説明し、上記した第１の実施の形態と同様の点については説明を省略する。また、上記した第１の実施の形態と同様の箇所については同一の符号を用いて説明する。
【００５１】
図７に示すように、サーバ１０は、アプリ要求したクライアント２０とアプリ要求されたアプリケーションと新たな第２の色調パラメータとを関連付けた関連付け情報テーブル１５を有する。
【００５２】
図８に示すように、関連付け情報テーブル１５には、アプリ要求したクライアント２０の種類を特定するクライアント識別子（クライアントＩＤ）と、アプリ要求されたアプリケーションの種類を特定するアプリ識別子（アプリＩＤ）と、新たな第２の色調パラメータ（色相値、明度値、彩度値）とを関連付けた関連付け情報が記憶されている。
【００５３】
図８において、例１は、クライアントｃ１−１において、例えば、ＰＡＣＳが実行され、第１のウインドウに、ＰＡＣＳのシステム画面が表示されている場合であって、第１のアプリケーション（アプリ１）の実行要求をサーバ１０に送出した場合に、サーバ１０のパラメータ変更部３２は第２のウインドウの第２の色調パラメータを、新たな第２の色調パラメータ（例えば、色相値（Ｈ）２７、彩度値（Ｓ）２００、明度（Ｌ）１８４）に変更する例である。その後の処理は、上記した第１の実施の形態と同様である。
【００５４】
例２は、クライアントｃ１−２において、例えば、健診システムが実行され、第１のウインドウに、健診システムのシステム画面が表示されている場合であって、アプリ１の実行要求をサーバ１０に送出した場合に、サーバ１０のパラメータ変更部３２は第２のウインドウの第２の色調パラメータを、新たな第２の色調パラメータ（例えば、色相値（Ｈ）４５、彩度値（Ｓ）２００、明度（Ｌ）１５９）に変更する。その後の処理は、上記した第１の実施の形態と同様である。
【００５５】
例３は、クライアントｃ２−１において、例えば、ＰＡＣＳが実行され、第１のウインドウに、ＰＡＣＳのシステム画面が表示されている場合であって、アプリ２の実行要求をサーバ１０に送出した場合に、サーバ１０のパラメータ変更部３２は第２のウインドウの第２の色調パラメータを、新たな第２の色調パラメータ（例えば、色相値（Ｈ）２４８、彩度値（Ｓ）２００、明度（Ｌ）２２６）に変更する。その後の処理は、上記した第１の実施の形態と同様である。
【００５６】
この新たな第２の色調パラメータは、第２のウインドウを第１のウインドウに重ねて表示した場合に、第１のウインドウと第２のウインドウに統一感を持たせるようにあらかじめ設定されたパラメータである。
【００５７】
前記パラメータ変更部３２は、色調情報抽出部１１によって抽出されたアプリ識別子およびクライアント識別子に関連付けられた新たな第２の色調パラメータを選択し、この選択された新たな第２の色調パラメータを表示制御部３３に送出する。
【００５８】
表示制御部３３は、新たな第２の色調パラメータに基いて業務アプリ画面（第２のウインドウ）の表示態様を変更し、変更された業務アプリ画面をシステム画面（第１のウインドウ）に重ねて表示させる。
【００５９】
［効果］
上記した第１の実施の形態では、所定の変更ロジックを用いて変更前の第２の色調パラメータを新たな第２の色調パラメータに変更するようにしていたのに対し、本実施の形態では、関連付け情報テーブルに基づいて、第１のウインドウと第２のウインドウに統一感を持たせるようにあらかじめ設定されたパラメータを一義的に選択されるようにしている。したがって、本実施の形態では、アプリ要求したクライアント２０の画面表示部２５には、第１のウインドウと第２のウインドウが重なって表示されたとしても、違和感のない見やすい画面表示を行うことができる。また、ユーザの好みに合わせて関連付けの仕方を自由に設定できるので、よりユーザの好みの設定の自由度の向上を図ることができる。
【００６０】
＜第３の実施形態＞
以下に、本発明の第３の実施形態に係る医療用情報提供システム６０について図９を参照して説明する。なお、本実施の形態は、サーバ１０に、後述する調整用画面を生成する画面生成部６１と、調整用画面をクライアント２０の第１のウインドウに表示させるユーザインターフェース制御部（ＵＩ制御部）６２を新たに設けた点以外は、上記した第１の実施の形態と同様であるので、以下では異なる点のみ説明し、上記した第１の実施の形態と同様の点については説明を省略する。また、上記した第１の実施の形態と同様の箇所については同一の符号を用いて説明する。
【００６１】
図９に示すように、サーバ１０は、色調情報抽出部１１と、制御ユニット１２と、色調情報データベース１３と、データ送受信部１４と、画面生成部６１と、ユーザインターフェース制御部６２とを有する。画面生成部６１は、制御ユニット１２から出力された第２のウインドウの第２の色調パラメータの設定をユーザ操作によって行える調整用画面を生成する。ユーザインターフェース制御部６２は、生成された調整用画面を第１のウインドウに表示させる。
【００６２】
第１のウインドウに表示された調整用画面は、第２の色調パラメータを構成する色相値、彩度値、明度値を自由に設定できるような画面構成になっている。ユーザによるクライアント２０の画面操作部（キーボード、マウス等）６３の操作によって第２の色調パラメータを構成する色相値、彩度値、明度値は所望の値に設定（変更）される。上記設定は、画面操作部６３で行われるが、その変更に係る情報はユーザインターフェース制御部６２に送出され、ユーザインターフェース制御部６２によって所望の第２の色調パラメータに変更され、図示しない内部メモリに記憶される。記憶された変更後の第２の色調パラメータの情報は、ユーザインターフェース制御部６２を介して制御ユニット１２の表示制御部３３に送出される。
【００６３】
表示制御部３３は、変更された第２の色調パラメータに基いて業務アプリ画面（第２のウインドウ）の表示態様を変更し、変更された業務アプリ画面をシステム画面（第１のウインドウ）に重ねて表示させる。
【００６４】
［効果］
本実施の形態によれば、第２の色調パラメータを、ユーザ自身が調整用画面を見ながら設定できるので、第２の色調パラメータに基く業務アプリ画面（第２のウインドウ）の表示態様の自由度が増大する。
【００６５】
＜変形例＞
以下に、本発明の第３の実施形態の変形例に係る医療用情報提供システム７０について図１０を参照して説明する。なお、上記した第３の実施の形態は、サーバ１０に、後述する調整用画面を生成する画面生成部７１と、調整用画面をクライアント２０の第１のウインドウに表示させるユーザインターフェース制御部７２を設けた点に特徴を有する。これに対して、本変形例は、クライアント２０に、画面生成部７１とユーザインターフェース制御部７２を設けた点に特徴を有する。つまり、画面生成部とユーザインターフェース制御部をサーバ１０に設けるのではなく、クライアント２０に設けた点に特徴を有する。それ以外の点については、上記した第３の実施の形態と同様である。また、上記した、第３の実施の形態と同様の箇所については同一の符号を用いて説明する。
【００６６】
図１０に示すように、サーバ１０は、アプリ実行要求部２１と、色調情報取得部２２と、画面エリア指定部２３と、画面表示部（モニター）２５と、データ送受信部２４と、画面操作部６３と、画面生成部７１と、ユーザインターフェース制御部７２とを有する
【００６７】
画面生成部７１は、制御ユニット１２から出力された第２のウインドウの第２の色調パラメータの設定をユーザ操作によって行える調整用画面を生成する。ユーザインターフェース制御部７２は、生成された調整用画面を第１のウインドウに表示させる。
【００６８】
第１のウインドウに表示された調整用画面は、第２の色調パラメータを構成する色相値、彩度値、明度値を自由に設定できるような画面構成になっている。ユーザによる画面操作部６３の操作によって第２の色調パラメータを構成する色相値、彩度値、明度値は所望の値に設定（変更）される。上記設定は、画面操作部６３で行われるが、その変更に係る情報はユーザインターフェース制御部７２に送出され、ユーザインターフェース制御部７２によって所望の第２の色調パラメータに変更され、図示しない内部メモリに記憶される。記憶された変更後の第２の色調パラメータの情報は、ユーザインターフェース制御部７２を介して制御ユニット１２の表示制御部３３に送出される。
【００６９】
表示制御部３３は、変更された第２の色調パラメータに基いて業務アプリ画面（第２のウインドウ）の表示態様を変更し、変更された業務アプリ画面をシステム画面（第１のウインドウ）に重ねて表示させる。
【００７０】
［効果］
本実施の形態によれば、第２の色調パラメータを、ユーザ自身が調整用画面を見ながら設定できるので、第２の色調パラメータに基く業務アプリ画面（第２のウインドウ）の表示態様の自由度が増大する。
【００７１】
この発明の実施形態を説明したが、上記の実施形態は例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１，５０，６０，７０  医療用情報提供システム
１０  サーバ装置
１１  色調情報抽出部
１２  制御ユニット
１３  色調情報データベース
１４，２４  データ送受信部
１５  関連付け情報テーブル
２０  クライアント装置
２１  アプリ実行要求部
２２  色調情報取得部
２３  画面エリア指定部
２５  画面表示部
３２  パラメータ変更部
３３  表示制御部
６１，７１  画面生成部
６２，７２  ＵＩ制御部（ユーザインターフェース制御部）
６３  画面操作部
【図１】
0005889658.tif 000002
【図２】
0005889658.tif 000003
【図３】
0005889658.tif 000004
【図４】
0005889658.tif 000005
【図５】
0005889658.tif 000006
【図６】
0005889658.tif 000007
【図７】
0005889658.tif 000008
【図８】
0005889658.tif 000009
【図９】
0005889658.tif 000010
【図１０】
0005889658.tif 000011